(57)【要約】      （修正有）【課題】オーバーコートリボンに予め形成されている模様等が転写媒体の所定位置に正確に転写されるようにしたオーバーコート層作成装置を提供する。【解決手段】熱圧着手段のヒートローラの回転速度を基準速度Ｖｎとして算出したリボン巻き取り軸側の外径ｄ２との関係から次式によりリボン巻き取り軸の回転角速度ωＭｎを求める算出手段と、2008285229.tif 000019前記リボン巻き取り軸を回転駆動するオーバーコートリボン駆動手段と、前記リボン巻き取り軸の回転角速度が前記算出手段により算出した回転角速度ωＭｎとなるようにオーバーコートリボン駆動手段を制御して、前記熱圧着手段におけるオーバーコートリボンの搬送速度が基準速度になるようにして転写させる。【選択図】図４
2008285229.tif 000002
【特許請求の範囲】
【請求項１】
リボン送り出し軸、リボン巻き取り軸間に模様を付したオーバーコートリボンを張設し、前記リボン送り出し軸、リボン巻き取り軸の間に配置した基準速度で回転駆動されるヒートローラを用いた熱圧着手段により前記オーバーコートリボンとこの熱圧着手段の位置に搬送されてくる転写媒体とを重合圧着して前記オーバーコートリボンに付した模様を転写媒体に転写するオーバーコート層作成装置において、
前記リボン送り出し軸の前回転写動作時の回転角速度ωＥｎ−１を求める回転角速度計測手段と、この回転角速度計測手段により求めたリボン送り出し軸の前回転写動作時の回転角速度からリボン送り出し軸側の外径ｄ１を求めるとともに、前記リボン送り出し軸、リボン巻き取り軸におけるオーバーコートリボンを含めた断面積の合計が不変であることを利用し、求めたリボン送り出し軸側の外径ｄ１を基にリボン巻き取り軸側の外径ｄ２を算出し、前記熱圧着手段のヒートローラの回転速度を基準速度Ｖｎとして算出したリボン巻き取り軸側の外径ｄ２との関係から次式によりリボン巻き取り軸の回転角速度ωMnを求める算出手段と、
2008285229.tif 000018
前記リボン巻き取り軸を回転駆動するオーバーコートリボン駆動手段と、前記リボン巻き取り軸の回転角速度が前記算出手段により算出した回転角速度ωMnとなるようにオーバーコートリボン駆動手段を制御して、前記熱圧着手段におけるオーバーコートリボンの搬送速度が基準速度になるようにして前記模様を転写媒体に転写させる制御手段と、を有することを特徴とするオーバーコート層作成装置。
【発明の詳細な説明】
【技術分野】
【０００１】
本発明は、オーバーコートリボンを使用したオーバーコート層作成装置に関するものである。
【背景技術】
【０００２】
リボン送り出し軸に巻回したオーバーコートリボン（以下「リボン」ともいう。）を、リボン巻き取り軸を一定の角速度で駆動して巻き取るようにしたオーバーコート作成装置において、リボンとして予め模様の入ったものを用いて所定の転写用の媒体上に前記模様を転写し、模様付きの媒体を形成する場合、リボンの模様の付された転写面位置の正確な検出が必要となる。
【０００３】
従来は、リボンの転写面上に形成された位置検出用のマークを単純にセンサで検出することでリボンの転写面位置を把握し、リボンの媒体に対する位置決めを行っていた。
【発明の開示】
【発明が解決しようとする課題】
【０００４】
しかし、前記リボンはリボン巻き取り軸に巻き取られるに従い、その巻径が変化するため、リボン巻き取り軸を一定の角速度で駆動する従来の方法ではリボン走行速度は巻径の変化につれて変化し、前記リボンの搬送速度とこのリボンから模様が転写される媒体の搬送速度とに速度差が生じる。
【０００５】
このため、一般的な動作手順である１．リボン転写面に予め形成されたマークを検知し、２．リボンを必要なところまで巻き取り、３．媒体に対する転写動作を行う、という動作を順次行う過程で、使用されるリボンの転写面位置と媒体位置の関係が変化し、結果として媒体上に作成されるオーバーコート層の模様等に位置ズレが生じる（マーク検知と同時にオーバーコート動作を開始すれば理論的にはズレは生じないが、リボン転写面やセンサ位置等の設計自由度が極端に狭められ、装置の小型化やリボン転写面のデザイン処理上の大きな障害になる）。
【０００６】
従って、予め模様の入ったリボンを使用する場合、媒体上の正確な位置に模様を転写するような転写動作は困難であり、このため、無地やランダムに模様の入ったリボンを使用し、模様の転写位置を規定しない構造のオーバーコート層作成装置が一般的であった。
【０００７】
本発明は、転写素材を利用し転写素材に予め形成されている模様等が転写媒体の所定位置に正確に転写されるようにした転写層作成装置及びオーバーコートリボンを使用して、媒体表面にオーバーコート層を転写、作成するに際して、媒体位置とリボンの転写面位置との関係を正確に制御し、オーバーコートリボンに予め形成されている模様等が転写媒体の所定位置に正確に転写されるようにしたオーバーコート層作成装置を提供することを目的とする。
【課題を解決するための手段】
【０００８】
請求項１記載の発明は、リボン送り出し軸、リボン巻き取り軸間に模様を付したオーバーコートリボンを張設し、前記リボン送り出し軸、リボン巻き取り軸の間に配置した基準速度で回転駆動されるヒートローラを用いた熱圧着手段により前記オーバーコートリボンとこの熱圧着手段の位置に搬送されてくる転写媒体とを重合圧着して前記オーバーコートリボンに付した模様を転写媒体に転写するオーバーコート層作成装置において、前記リボン送り出し軸の前回転写動作時の回転角速度ωＥｎ−１を求める回転角速度計測手段と、この回転角速度計測手段により求めたリボン送り出し軸の前回転写動作時の回転角速度からリボン送り出し軸側の外径ｄ１を求めるとともに、前記リボン送り出し軸、リボン巻き取り軸におけるオーバーコートリボンを含めた断面積の合計が不変であることを利用し、求めたリボン送り出し軸側の外径ｄ１を基にリボン巻き取り軸側の外径ｄ２を算出し、前記熱圧着手段のヒートローラの回転速度を基準速度Ｖｎとして算出したリボン巻き取り軸側の外径ｄ２との関係から次式によりリボン巻き取り軸の回転角速度ωＭｎを求める算出手段と、
2008285229.tif 000003
前記リボン巻き取り軸を回転駆動するオーバーコートリボン駆動手段と、前記リボン巻き取り軸の回転角速度が前記算出手段により算出した回転角速度ωＭｎとなるようにオーバーコートリボン駆動手段を制御して、前記熱圧着手段におけるオーバーコートリボンの搬送速度が基準速度になるようにして前記模様を転写媒体に転写させる制御手段と、を有することを特徴とする。
【０００９】
この発明によれば、回転角速度計測手段によりオーバーコートリボンを巻回したリボン送り出し軸の転写動作時の回転角速度を求め、算出手段により前記リボン送り出し軸、リボン巻き取り軸における転写素材を含めた断面積の合計が不変であることを利用し、前記熱圧着手段のヒートローラの回転速度を基準速度として、前記回転角速度計測手段により求めたリボン送り出し軸の転写動作時の回転角速度を基に、リボン送り出し軸側の外径を求めるとともに、さらに、前記熱圧着手段のヒートローラの回転速度を基準速度として算出したリボン巻き取り軸側の外径との関係からリボン巻き取り軸の回転角速度を求め、制御手段により、前記リボン巻き取り軸の回転角速度が前記算出手段により算出した回転角速度となるようにリボン巻き取り駆動手段を制御して、前記熱圧着手段におけるオーバーコートリボンの搬送速度が基準速度になるようにして前記模様を転写媒体に転写させるものであるから、前記熱圧着手段のヒートローラの回転速度とこのヒートローラに箇所で転写動作が行われるオーバーコートリボンと転写媒体の搬送速度とを一致させて正確に前記模様を転写媒体に転写させることができる。
【発明の効果】
【００１０】
本発明によれば、以下の効果を奏する。
【００１１】
本発明によれば、熱圧着手段のヒートローラの回転速度とこのヒートローラに箇所で転写動作が行われる転写素材と転写媒体の搬送速度とを一致させて正確に前記転写層を転写媒体に転写させることができる転写層作成装置を提供することができる。
【００１２】
また、本発明によれば、リボン送り出し軸の転写動作時の回転角速度と、リボン送り出し軸、リボン巻き取り軸における転写素材を含めた断面積の合計が一定であることを利用し、前記熱圧着手段のヒートローラの回転速度を基準速度として、前記熱圧着手段のヒートローラの回転速度とこのヒートローラに箇所で転写動作が行われるオーバーコートリボンと転写媒体の搬送速度とを一致させて正確に前記模様を転写媒体に転写させることができるオーバーコート層作成装置を提供することができる。
【００１３】
さらに、本発明によれば、検知マークの間の一転写動作分の巻き取り時間と、前記リボン送り出し軸、リボン巻き取り軸におけるオーバーコートリボンを含めた断面積の合計が一定であることを利用し、前記模様を転写媒体の所定の位置に正確に位置合わせしつつ転写動作を実行できる模様を転写媒体の所定の位置に正確に位置合わせしつつ転写動作を実行できるオーバーコート層作成装置を提供することができる。
【００１４】
さらに本発明によれば、隣り合う検知マークを検知する間のリボン送り出し軸の回転角度と、リボン送り出し軸、リボン巻き取り軸におけるオーバーコートリボンを含めた断面積の合計が一定であることを利用し、模様を転写媒体の所定の位置に正確に位置合わせしつつ転写動作を実行できるオーバーコート層作成装置を提供することができる。
【発明を実施するための最良の形態】
【００１５】
以下に本発明の実施の形態を詳細に説明する。
【００１６】
（実施の形態１）
図１に、本実施の形態１の転写層作成装置であるオーバーコート層作成装置における転写素材であるリボン（オーバーコートリボン）１の転写面の構成例を示す。このリボン１は、後述する転写媒体１０に転写されるオーバーコート層７を作成するための転写エリア２と、転写媒体１０に転写されずにリボン１に残存する非転写エリア３とに分けられる。
【００１７】
転写エリア２には、転写媒体１０に転写するための文字、記号等の模様５が形成されている。一方、非転写エリア３には、リボン１の転写面位置を検出するための検知マーク４が付されている。
【００１８】
この検知マーク４は、オーバーコート層作成装置に設けられているセンサに適合した形式を用い、例えば光透過式センサであれば遮光特性のマーク、反射センサであればアルミ蒸着テープ等の反射特性マーク、回折光を検出する位置にセンサを配置する場合はホログラムマーク等、種々のマークを使用し得るものである。
【００１９】
また、検知マーク４は、必ずしも非転写エリア３に付する必要はなく、図２に示すように、検知マーク４を転写エリア２の例えば隅部に付すことも可能である。図３にオーバーコート層作成装置におけるリボン１のオーバーコート層７の転写媒体１０に対する転写過程の概略を示す。リボン１は、リボンベース層６とオーバーコート層７で形成されている。
【００２０】
一方、搬送ローラ３４で搬送されたシート状の転写媒体１０は、ヒートローラ１２とバックアップローラ１３の間でリボン１と圧接される。この時、ヒートローラ１２内に配置したヒータ１２Ａから発生した熱により、オーバーコート層７はリボン１から転写媒体１０に転写される。
【００２１】
更に、オーバーコート層７には、予め模様５等が形成されていて、転写媒体１０の表面を保護するオーバーコート層７の作成と同時に模様５等も転写媒体１０に転写される。この後、転写媒体１０は搬出ローラ３５により次工程へ搬出される。
【００２２】
次に、図４を参照して本実施の形態のオーバーコート層作成装置についてさらに詳述する。
【００２３】
リボン１の巻き取りは、リボン巻き取り軸１ｂ側に例えば歯車２１、２２を介して連結したリボン駆動モータ１５で行い、リボン送り出し軸１ａ側には回転角速度、回転角速度検出手段であるロータリエンコーダ１６を連結してリボン送り出し軸１ａの回転角度（変化量）、間接的には回転角速度を測定するようになっている。
【００２４】
前記リボン１上に付された検知マーク４は、リボン送り出し軸１ａの下方に配置した光透過式の発光素子１７ａ、受光素子１７ｂからなるマーク検知手段であるマーク検出センサ１７により検出され、リボン１の転写面位置が検出されるようになっている。
【００２５】
前記リボン送り出し軸１ａ、リボン巻き取り軸１ｂの下方におけるこれらの中間位置には、熱圧着手段であるヒートローラ１２及びバックアップローラ１３が配置されている。
【００２６】
ヒートローラ１２の駆動は、ヒートローラ駆動モータ１８の原動軸に取り付けた原動プーリ２３、ヒートローラ１２から突出させた軸に取り付けたプーリ２４間にベルト２５を張設したベルト伝達機構で行い、バックアップローラ１３は自由に回転可能であるためヒートローラ１２の回転に従動して回転するようになっている。また、バックアップローラ１３は、前記ヒートローラ１２に対して図示しない上下駆動機構により接離可能に構成されている。
【００２７】
尚、図２、図３中、２６、２７は、ガイドローラである。
【００２８】
また、このオーバーコート層作成装置は、後述するようにロータリエンコーダ１６、マーク検出センサ１７の検出結果等を利用してリボン送り出し軸１ａやリボン巻き取り軸１ｂ等の回転角速度等の算出を行う算出手段４０と、算出手段４０の算出結果を基にリボン駆動モータ１５、ヒートローラ駆動モータ１８を駆動制御する制御手段４１を具備している。
【００２９】
上述した構成のオーバーコート層作成装置において、シート状の転写媒体１０表面に、予め模様等が形成されているリボン１を圧接してオーバーコート層７を転写媒体１０の表面に転写するためには、この転写媒体１０を搬送するモータ（図示せず）を駆動制御して転写媒体１０の搬送位置を調整すると同時に、リボン駆動モータ１５を駆動制御してリボン１の転写面位置を調整し、リボン１の模様５等を転写媒体１０の決められた位置に重ね合わせてからヒートローラ１２、バックアップローラ１３間に搬入する。
【００３０】
このとき、リボン１のリボン送り出し軸１ａ、リボン巻き取り軸１ｂ両軸のリボン径が変化するため、リボン径に応じたリボン駆動モータ１５の駆動制御が不可欠となる。 また、ヒートローラ１２にリボン１と転写媒体１０とが同時に搬入される時以外は、ヒートローラ１２とバックアップローラ１３に隙間が設けられており、リボン１はリボン駆動モータ１５により自由に巻き取られる。
【００３１】
次に、複数の転写媒体１０に連続してオーバーコート層７を転写する動作において、ｎ番面の転写面（ｎ＝２、３、４、・・・）の転写動作について説明する。
【００３２】
オーバーコート層作成装置において、オーバーコート層７の転写動作が開始されると、リボン１と転写媒体１０とはヒートローラ１２とバックアップローラ１３の間に合わせて搬入され、上下両側から強い押圧力を加えられるため、ヒートローラ１２、リボン１、転写媒体１０の位置がズレることはない。
【００３３】
このため、リボン１と転写媒体１０の走行速度は、最も強力に駆動されているヒートローラ１２の回転速度と等速となる。このことから、ヒートローラ１２の回転速度（正確にはヒートローラ駆動モータ１８の回転により発生したヒートローラ１２の外周速度）をオーバーコート層作成動作の基準速度Ｖh とする。
【００３４】
また、オーバーコート層７の転写中にリボン１が基準速度Ｖh で繰り出される時のリボン送り出し軸１ａの回転角速度ωEnがロータリエンコーダ１６により計測される。
【００３５】
制御手順について以下に詳述する。
【００３６】
１．ｎ−１番面の転写面において、転写媒体１０とリボン１とがヒートローラ１２とバックアップローラ１３により押圧力をかけられてオーバーコート層転写動作中の、リボン送り出し軸１ａの角速度ωEn-1を測定しておく。
【００３７】
２．ｎ番面の転写面におけるリボン転写面位置を制御するため、オーバーコート層７の転写開始前にリボン巻き取り軸１ｂの角速度を求める。
【００３８】
ｎ−１番面とｎ番面において、リボン送り出し軸１ａに残っているリボン１の直径の変化は微少であり無視する。リボン１がヒートローラ１２により押圧力をかけられていない時のリボン走行速度を基準速度Ｖh に合わせるために、リボン駆動モータ１５が駆動するためのリボン巻き取り軸１ｂの角速度ωMhは下記数１で表される。
【００３９】
尚、数１は、リボン送り出し軸１ａとリボン巻き取り軸１ｂのリボン断面積合計は一定であることから導出したものである。
【００４０】
【数１】
2008285229.tif 000004
【００４１】
即ち、図５に示すように、リボン送り出し軸１ａ、リボン巻き取り軸１ｂの各軸断面積をＳｃｏｒ、前記リボン送り出し軸１ａ、リボン巻き取り軸１ｂのリボン１の実際の合計断面積（図５に示す各斜線部分の合計面積）をＳｒｉｂ、リボン送り出し軸１ａ側の巻径をｄ１、リボン巻き取り軸１ｂ側の巻径をｄ２とすると、リボン送り出し軸１ａとリボン巻き取り軸１ｂのリボン断面積合計は一定であることから下記数２、数３が成立する。
【００４２】
【数２】
2008285229.tif 000005
【００４３】
【数３】
2008285229.tif 000006
【００４４】
次に、ｎ−１番面の転写動作中のリボン送り出し軸１ａ側の巻径ｄ1 、リボン巻き取り軸１ｂ側の巻径ｄ2 の変化量は小さく無視できるものとすると、ヒートローラ１２の回転で発生したリボン１の走行速度は前記基準速度Ｖh と等しいことから、ｎ−１番面の転写動作中でのリボン１の走行速度の関係から、リボン送り出し軸１ａ側の巻径ｄ1 は下記数４で表すことができる。
【００４５】
【数４】
2008285229.tif 000007
【００４６】
従って、前記リボン巻き取り軸１ｂ側の巻径ｄ2 は、下記数５で表すことができる。
【００４７】
【数５】
2008285229.tif 000008
【００４８】
次に、ｎ番面の転写動作でリボン１を巻き取るためのリボン巻き取り軸１ｂの角速度ωMnを求める。この場合、ｎ−１番面の転写動作とｎ番面の転写動作とで前記巻径をｄ1 、ｄ2 の各変化量は小さくこれを無視するものとすると、ｎ−１番面の転写動作のリボン巻き取り軸１ｂの角速度ωMn-1と、ｎ番面の転写動作のリボン巻き取り軸１ｂの角速度ωMnとは、ωMn-1＝ωMnとなるので、ωMnは下記数６で表すことができる。
【００４９】
【数６】
2008285229.tif 000009
【００５０】
上記した数６の分母に数５の式を代入して整理することで、前記数１を導出できる。
【００５１】
次に、リボン１を巻き取りながら、前記リボン１上に付された検知マーク４を、前記光透過式の発光素子１７ａ、受光素子１７ｂからなるマーク検出センサ１７により検出する。
【００５２】
そして、前記数１で求めたリボン巻き取り軸１ｂの角速度がωMnになるようにリボン駆動モータ１５を回転させ、決められた時間リボン巻き取りを行い、マーク検出センサ１７の検出結果を基にリボン転写面初期位置まで巻き取る。
【００５３】
さらに、リボン巻き取り軸１ｂの角速度がωMnになるようにリボン駆動モータ１５を回転させ、リボン１と転写媒体１０とを同時に基準速度Ｖh で重ね合わせたままヒートローラ１２、バックアップローラ１３の位置に搬送し、図６に示すようにオーバーコート層の転写動作を実行する。
【００５４】
このようにして、前記数１で求めたリボン巻き取り軸１ｂの角速度ωMnを用いることで、リボン１の使用に伴うリボン１の巻径変化の影響なしにリボン１を定速（基準速度Ｖh ）で巻き取ることができ、リボン１の模様５を転写媒体１０の所定位置に正確に転写することが可能となる。
【００５５】
（実施の形態２）
次に、本発明の実施の形態２について説明する。本実施の形態２は、連続したオーバーコート層作成動作における、主に１番目の転写動作の制御に関するものである。
【００５６】
まず、図７に示すように、連続の転写動作開始直前に機体のイニシャル動作（リボン巻き取り軸１ｂを任意の角速度ωMn0 となるように駆動する）を行い、リボン駆動モータ１５を定速で回転させたときの、隣り合う検知マーク４間の距離Ｌの巻き取りにかかる時間Ｔを求める。
【００５７】
次に、１番目の転写動作におけるリボン転写面位置を制御するための、リボンリボン巻き取り軸１ｂの角速度ωMn1 を求めておく。
【００５８】
イニシャル時と１番目の転写面において、リボン送り出し軸１ａに残っているリボン１の巻径ｄ1 の変化は微少であり無視する。リボン１がヒートローラ１２に押圧力を加えられていない時のリボン１の走行速度を基準速度Ｖh に合わせるために、リボン駆動モータ１５が駆動するためのリボン巻き取り軸１ｂの角速度ωMn1 は下記数７で表すことができる。
【００５９】
【数７】
2008285229.tif 000010
【００６０】
尚、数７は、リボン送り出し軸１ａとリボン巻き取り軸１ｂのリボン断面積合計Ｓｒｉｂは一定であることから導出したものである。
【００６１】
即ち、機体のイニシャル動作中の前記巻径ｄ1 、ｄ2 の変化量は小さく無視できるものとし、リボン送り出し軸１ａの角速度を図８に示すようにωE0とすると、前記距離Ｌと時間Ｔとの関係から、巻径ｄ1 は下記数８で表すことができる。
【００６２】
【数８】
2008285229.tif 000011
【００６３】
従って、前記数３、数８より、巻径ｄ2 は下記数９で表すことができる。
【００６４】
【数９】
2008285229.tif 000012
【００６５】
次に、１番目の転写動作におけるリボン巻き取り軸１ｂの角速度ωMn1 は、インシャル動作時（角速度ωMn0 ）と１番目の転写動作とでは前記巻径ｄ1 、ｄ2の変化量は小さく無視できるので、ωMn1 ＝ωMn0 とすることができるため、ωMn1 は下記数１０で表すことができる。
【００６６】
【数１０】
2008285229.tif 000013
【００６７】
従って、数９、数１０の両式から上述した数７を求めることができる。
【００６８】
次に、１番目の転写動作を実行するに当たり、前記リボン１に付されている検知マーク４の位置を、前記光透過式の発光素子１７ａ、受光素子１７ｂからなるマーク検出センサ１７により検出する。
【００６９】
そして、数７で求めたリボン巻き取り軸１ｂの角速度がωMn1 になるようにリボン駆動モータ１５を回転させ、決められた時間リボン巻き取りを行い、リボン転写面初期位置まで巻き取る。
【００７０】
さらに、リボン巻き取り軸１ｂの角速度がωMn1 になるようにリボン駆動モータ１５を回転させ、リボン１と転写媒体１０とを同時に基準速度Ｖh で重ね合わせたままヒートローラ１２、バックアップローラ１３の位置に搬入し、オーバーコート層の転写動作を実行する。
【００７１】
このようにして、数７で求めた角速度ωMn1 を用いることで、リボン送り出し軸１ｂ側のリボン１の巻径ｄ2 の影響なしにリボン１を定速（基準速度Ｖh ）で巻き取ることができ、リボン１の模様５を転写媒体１０の所定位置に正確に転写することが可能となる。
【００７２】
（実施の形態３）
次に、本発明の実施の形態３について説明する。本実施の形態３は、複数の転写媒体１０に連続してオーバーコート層を作成する動作中において、ｎ番目（ｎ＝１、２、３、４．．）の制御動作に関するものである。
【００７３】
まず、ｎ−１番目のリボン転写面位置の基準となる検知マーク４をマーク検出センサ１７が検出してから、ｎ番目の検知マーク４をマーク検出センサ１７が検出するまでのリボン送り出し軸１ａの回転角度θEnがロータリエンコーダ１６により計測される。
【００７４】
次に、ｎ番目におけるリボン転写面の位置を制御するための、リボン巻き取り軸１ｂの角速度ωMnを求める。
【００７５】
ｎ−１番目とｎ番目において、リボン送り出し軸１ａに残っているリボン１の巻径ｄ1 の変化は微少であり無視する。リボン１がヒートローラ１２により押圧力を加えられていない時のリボン１の走行速度を基準速度Ｖh に合わせるために、リボン駆動モータ１５が駆動するためのリボン巻き取り軸１ｂの角速度ωMnは下記数１１で表すことができる。
【００７６】
【数１１】
2008285229.tif 000014
【００７７】
数１１は、リボン送り出し軸１ａとリボン巻き取り軸１ｂのリボン断面積合計Ｓｒｉｂは一定であることから導出したものである。
【００７８】
即ち、ｎ−１番目とｎ番目とにおいて、リボン１における隣り合う検知マーク４間の距離Ｌを巻き取る間のリボン送り出し軸１ａ、リボン巻き取り軸１ｂの各巻径ｄ1 、ｄ2 の変化量は小さく、この時のリボン送り出し軸１ａの回転角度θEnから、巻径ｄ1 は下記数１２で表すことができる。
【００７９】
【数１２】
2008285229.tif 000015
【００８０】
前記数１０、数１２から、巻径ｄ2 は下記数１３で表すことができる。
【００８１】
【数１３】
2008285229.tif 000016
【００８２】
次に、ｎ番目においてリボン１を巻き取るためのリボン巻き取り軸１ｂの角速度ωMnは、ｎ−１番目とｎ番目とにおいて前記巻径ｄ1 、ｄ2 の変化量は小さく無視できるので、下記数１４が成立する。
【００８３】
【数１４】
2008285229.tif 000017
【００８４】
従って、前記数１３、数１４の関係から、上述した数１１を導出することができる。
【００８５】
そして、数１１で求めたリボン巻き取り軸１ｂの角速度ωMnになるようにリボン駆動モータ１５を回転させ、ｎ−１番目で検知マーク４が検出された位置から決められた時間リボン巻き取りを実行し、リボン転写面の初期位置までリボン１を巻き取る。
【００８６】
さらに、リボン巻き取り軸１ｂの角速度ωMnになるようにリボン駆動モータ１５を回転させ、リボン１と転写媒体１０を同時に基準速度Ｖh で重ね合わせたままヒートローラ１２、バックアップローラ１３の位置に搬送しオーバーコート層の転写動作を実行する。
【００８７】
このようにして、数１１で求めたリボン巻き取り軸１ｂの角速度ωMnを用いることで、リボン１の使用に伴うリボン１の巻径の変化の影響なしにリボン１を定速（基準速度Ｖh ）で巻き取ることができ、リボン１の模様５を転写媒体１０の所定位置に正確に転写することが可能になる。
【００８８】
以上説明した本発明の実施の形態によれば、リボン１の巻き取りを、リボン巻き取り軸１ｂの回転駆動で行うオーバーコート層作成装置において、リボン送り出し軸１ａに設置されたロータリエンコーダ１６により得られる角度変化量、角速度を用いて、ヒートローラ１２でのリボン走行速度を正確に制御できるため、予め模様５の入ったリボン１を用いて、転写媒体１０の表面の正確な位置に模様５を転写することが可能になる。
【００８９】
また、リボン１の転写媒体１０への転写面が正確に制御されるため、転写面の誤差を見込んだリボン１のマージンを減らすことができ、必要なリボン長を短くすることが可能となる。
【００９０】
さらに、リボン１の走行速度を正確に制御できるようになり、転写動作直前の転写媒体１０と重ね合わせる瞬間に、リボン１と転写媒体１０との速度差をほぼゼロにすることができる。このため、両者の速度差によるリボン１と転写媒体１０との瞬間的な摩擦が防止され、摩擦による転写媒体１０の表面への傷や汚れの発生について考慮する必要がなくなる利点もある。
【図面の簡単な説明】
【００９１】
【図１】本発明の実施の形態１におけるオーバーコートリボンを示す部分平面図である。
【図２】本発明の実施の形態１におけるオーバーコートリボンの他例を示す部分平面図である。
【図３】本発明の実施の形態１におけるオーバーコート層作成装置を示す概略図である。
【図４】本発明の実施の形態１におけるオーバーコート層作成装置を示す概略斜視図である。
【図５】本発明の実施の形態１におけるリボン送り出し軸、リボン巻き取り軸、オーバーコートリボンの面積関係を示す説明図である。
【図６】本発明の実施の形態１における前回転写動作時の回転角速度を利用する場合のリボン送り出し軸、リボン巻き取り軸、オーバーコートリボンを示す説明図である。
【図７】本発明の実施の形態２におけるオーバーコートリボンの検知マークの間隔を示す説明図である。
【図８】本発明の実施の形態２におけるリボン送り出し軸、リボン巻き取り軸、オーバーコートリボンのイニシャル動作状態を示す説明図である。
【図９】本発明の実施の形態３におけるリボン送り出し軸の回転角度、リボン巻き取り軸の回転角速度を示す説明図である。
【符号の説明】
【００９２】
１ オーバーコートリボン
１ａ リボン送り出し軸
１ｂ リボン巻き取り軸
２ 転写エリア
３ 非転写エリア
４ 検知マーク
７ オーバーコート層
１０ 転写媒体
１２ ヒートローラ
１２Ａ ヒータ
１３ バックアップローラ
１５ リボン駆動モータ
１７ マーク検出センサ
１８ ヒートローラ駆動モータ
【図１】
2008285229.tif 000020
【図２】
2008285229.tif 000021
【図３】
2008285229.tif 000022
【図４】
2008285229.tif 000023
【図５】
2008285229.tif 000024
【図６】
2008285229.tif 000025
【図７】
2008285229.tif 000026
【図８】
2008285229.tif 000027
【図９】
2008285229.tif 000028